(57)【要約】【課題】電力会社からの電力供給が停止された場合であっても、需要家宅に設置された屋内ディスプレイを確認することが可能な通知システムを提供する。【解決手段】通知システム１は、供給者側のサーバコンピュータ１００からの通知情報を需要家宅１０２に通知するものであり、需要家宅１０２に設置されたスマートメータ２を備え、さらに、配電線１０１に接続された引下線３と、スマートメータ２に接続された屋内線４とに接続された宅内モニタ５を備えている。宅内モニタ５は、屋内線４に電気が流れている場合には屋内線４から電力の供給を受け、屋内線４に電気が流れていない場合には引下線３から電力の供給を受ける。これにより、電力会社からの電力供給が停止されて屋内線４に電気が流れなくなっても、引下線３から電力の供給を受けることにより、電力会社からの通知情報を通知することが可能になる。【選択図】  図１
2017077059.tif 000002
【特許請求の範囲】
【請求項１】
電力供給を受ける需要家宅に設置され、電力を供給する供給者が電力を送電するための引下線と、前記引下線から送電された電力を前記需要家宅へ送電するための屋内線と、に接続されると共に、前記供給者側と通信可能に接続され、前記需要家宅において使用された電気使用量を計測する電力量計と、
前記電力量計と通信可能に接続され、前記供給者が通知する通知情報を表示する表示装置と、を備えた通知システムであって、
前記表示装置は、前記引下線と、前記屋内線と、の両方に接続され、
前記屋内線に電流が流れているか否かを検知し、前記屋内線の電流を検知した場合、前記屋内線から供給されている電力の供給を受け、
前記屋内線の電流を検知しない場合、前記引下線から供給されている電力の供給を受ける、
ことを特徴とする通知システム。
【請求項２】
前記表示装置は、前記屋内線に電流が流れているか否かを検知し、その検知結果に基づいて、前記引下線からの電力の供給と、前記屋内線からの電力の供給と、を切り換える切換部を有し、
前記切換部は、前記屋内線の電流を検知しなくなった場合、前記引下線からの電力の供給に切り換え、
前記引下線からの電力の供給に切り換えられた状態において、前記屋内線の電流を検知した場合、前記屋内線からの電力の供給に切り換える、
ことを特徴とする請求項１に記載の通知システム。
【請求項３】
前記電力量計は、前記需要家が前記電気使用量に基づく電気料金を滞納している場合、前記屋内線による前記需要家宅への送電を停止すると共に、前記電気料金を滞納している旨及び電力の供給を停止した旨を通知する前記通知情報を前記表示装置へ送信し、
前記表示装置は、前記電力量計が前記需要家宅への送電を停止した場合、前記通知情報を表示する、
ことを特徴とする請求項１または２のいずれか１項に記載の通知システム。
【発明の詳細な説明】
【技術分野】
【０００１】
この発明は、電力を供給する電力会社等の供給者からの通知情報、特に電力の供給停止を需要家宅に通知する通知システムに関する。
【背景技術】
【０００２】
電力を供給する電力会社では、顧客である需要家の電気使用量を計測するために需要家宅に設置されている、誘導型計器やデジタル通信機能付計器（スマートメータ）等の電力量計の検針を行っている。また、検針結果である電気使用量に基づいて電気料金の支払いを受けるために、口座振替、カード支払、振込票の送付等により請求を行い、例えば検針を行った日から５０日の支払期限を設けている。そして、この支払期限内に支払いを受けられなかった場合には、通常、その需要家に対して事前に最終的な供給停止の通知をした上で、電力の供給停止を行っている。
【０００３】
実際に供給停止をする場合、電力会社の集金員は、電気料金を滞納している需要家宅を訪問して電力量計の指示数を確認した上で、配線の遮断作業を行っている。その後、振込票を兼ねた施工通知を配付して、その需要家に対して電力の供給を停止した旨を通知している。
【０００４】
しかし、需要家によっては、供給停止の通知や施工通知の送付漏れ、確認漏れ等の理由により、電力の供給が停止されていることを認識していない場合もあり、これが苦情やトラブルの原因となっている。一方、このような通知の全てを書留等で確実に届けることも考えられるが、現実としてはコスト面及び手間の面から難しく、訪問時に供給停止の説明をしても需要者の理解を得るのは容易ではないという問題もある。
【０００５】
そのため、需要家宅に設置されたスマートメータと、電力会社側に設置された料金徴収管理装置と、スマートメータと通信可能に接続されて需要家宅に設置された屋内ディスプレイと、を備えた供給停止通知システムが知られている（例えば、特許文献１参照。）。この供給停止通知システムは、料金徴収管理装置から料金徴収状況が受信されて屋内ディスプレイに表示され、一定期間表示内容を確認してことが入力されない場合には表示方法を変更することで、需要家の注意を喚起するものである。なお、この屋内ディスプレイは、電力会社における電力供給状況や料金徴収状況等を需要家に通知して表示させるための装置である。
【先行技術文献】
【特許文献】
【０００６】
【特許文献１】特開２０１５−００１７６３号公報
【発明の概要】
【発明が解決しようとする課題】
【０００７】
しかしながら、特許文献１に記載の供給停止通知システムでは、電力会社から電力の供給が停止された場合、屋内ディスプレイへの電力の供給も停止されるので、電力供給の停止後、需要家は表示内容を確認することができない、という問題があった。
【０００８】
そこでこの発明は、電力会社からの電力供給が停止された場合であっても、需要家宅に設置された屋内ディスプレイを確認することが可能になる通知システムを提供することを目的とする。
【課題を解決するための手段】
【０００９】
上記課題を解決するために、請求項１の発明は、電力供給を受ける需要家宅に設置され、電力を供給する供給者が電力を送電するための引下線と、前記引下線から送電された電力を前記需要家宅へ送電するための屋内線と、に接続されると共に、前記供給者側と通信可能に接続され、前記需要家宅において使用された電気使用量を計測する電力量計と、前記電力量計と通信可能に接続され、前記供給者が通知する通知情報を表示する表示装置と、を備えた通知システムであって、前記表示装置は、前記引下線と、前記屋内線と、の両方に接続され、前記屋内線に電流が流れているか否かを検知し、前記屋内線の電流を検知した場合、前記屋内線から供給されている電力の供給を受け、前記屋内線の電流を検知しない場合、前記引下線から供給されている電力の供給を受ける、ことを特徴とする。
【００１０】
この発明によれば、表示装置は、電力会社等の供給者が電力を送電するための引下線と、引下線から送電された電力を需要家宅へ送電するための屋内線と、の両方に接続され、屋内線に電流が流れているか否かを検知し、屋内線の電流を検知した場合、すなわち供給者からの電力の供給が停止されていない場合、屋内線に供給されている電力の供給を受け、屋内線の電流を検知しない場合、すなわち供給者からの電力の供給が停止されている場合、引下線に供給されている電力の供給を受ける。
【００１１】
請求項２の発明は、請求項１に記載の通知システムにおいて、前記表示装置は、前記屋内線に電流が流れているか否かを検知し、その検知結果に基づいて、前記引下線からの電力の供給と、前記屋内線からの電力の供給と、を切り換える切換部を有し、前記切換部は、前記屋内線の電流を検知しなくなった場合、前記引下線からの電力の供給に切り換え、前記引下線からの電力の供給に切り換えられた状態において、前記屋内線の電流を検知した場合、前記屋内線からの電力の供給に切り換える、ことを特徴とする。
【００１２】
請求項３の発明は、請求項１または２のいずれか１項に記載の通知システムにおいて、前記電力量計は、前記需要家が前記電気使用量に基づく電気料金を滞納している場合、前記屋内線による前記需要家宅への送電を停止すると共に、前記電気料金を滞納している旨及び電力の供給を停止した旨を通知する前記通知情報を前記表示装置へ送信し、前記表示装置は、前記電力量計が前記需要家宅への送電を停止した場合、前記通知情報を表示する、ことを特徴とする。
【発明の効果】
【００１３】
請求項１の発明によれば、供給者からの電力の供給が停止されていない場合、屋内線から供給されている電力の供給を受け、供給者からの電力の供給が停止されている場合、引下線から供給されている電力の供給を受けるため、供給者からの電力の供給が停止されている場合であっても表示装置には電力が供給されるので、需要家が表示装置を確認することが可能になる。
【００１４】
請求項２の発明によれば、表示装置は、引下線からの電力の供給と、屋内線からの電力の供給とを切り換える切換部を有しているので、表示装置への電力供給の切り換えを行う際に一時的に電力供給が停止することを防止することができる。
【００１５】
請求項３の発明によれば、表示装置は、需要家が電気料金を滞納している場合、電気料金を滞納している旨及び電力の供給を停止した旨を通知する通知情報を表示するため、需要家からの問い合わせに対する対応や督促行為を削減することが可能になる。
【図面の簡単な説明】
【００１６】
【図１】この発明の実施の形態に係る通知システム１の概略を示す構成図である。
【図２】図１の宅内モニタ５を示す機能ブロック図である。
【図３】図２の操作表示部５４の外観を示す平面図である。
【図４】図１の宅内モニタ５の供給元判定処理を示すフローチャートである。
【発明を実施するための形態】
【００１７】
以下、この発明を図示の実施の形態に基づいて説明する。
【００１８】
図１は、この発明の実施の形態に係る通知システム１の概略を示す構成図である。この通知システム１は、電力を供給する電力会社等の供給者が需要家に対して、供給者側に設置されているサーバコンピュータ１００からの電力使用量実績、電気料金の支払実績、電力供給停止通知などの通知情報を通知するためのコンピュータシステムである。この通知システム１は、主として、スマートメータ（電力量計）２と、引下線３と、屋内線４と、宅内モニタ（表示装置）５と、家庭内ＬＡＮケーブル６とから構成され、供給者から電力の供給を受けるための配電線１０１に接続され、需要家宅１０２に設置されている。また、需要家宅１０２には、電気機器１０３が設置されている。
【００１９】
なお、需要家宅１０２に設置されている電気機器１０３には、冷蔵庫等のように、需要家宅が留守であっても常時電力を消費する必要があるものもある。また、テレビ番組の録画機能を有するＤＶＤデッキやハードディスクレコーダ、及び電気炊飯器等のように、需要家宅が留守であっても所定の時間になると作動するように設定されている装置もある。このような電気機器１０３は、常時電力が供給されている必要があるが、このような電気機器１０３を作動可能にするために、需要家宅１０２には、スマートメータ２及び屋内線４を介して待機電力が供給されている。すなわち、屋内線４から供給される電力は、後述するような電気料金の滞納によってスマートメータ２が電力供給を停止する場合を除き、停止することはない。そのため、屋内線４に電流が流れていない場合、電気料金の滞納によって電力供給が停止されていると判断できる。
【００２０】
スマートメータ２は、需要家宅１０２に設置され、需要家宅１０２において使用された電気使用量を計測する装置である。また、スマートメータ２は、配電線１０１を介して電力線搬送通信（Ｐｏｗｅｒ  Ｌｉｎｅ  Ｃｏｍｍｕｎｉｃａｔｉｏｎ：ＰＬＣ）により、サーバコンピュータ１００とデータ通信を行う通信機能や、データの演算・記憶機能を備えた装置である。さらに、スマートメータ２は、当該需要家が電気料金を滞納している場合、サーバコンピュータ１００からの遠隔操作により需要家宅１０２への電力の供給を停止し、当該需要家が電気料金を支払った場合、サーバコンピュータ１００からの遠隔操作により需要家宅１０２への電力の供給を再開する機能を備えている。
【００２１】
引下線３は、配電線１０１に接続されており、スマートメータ２を介さずに、配電線１０１から宅内モニタ５へ電力を供給するための電力線である。この引下線３は、配電線１０１からスマートメータ２を経由することなく直接供給される電力であり、スマートメータ２が電気料金の支払滞納により電力供給を停止している場合であっても、宅内モニタ５への電力の供給を継続するために設けられている。
【００２２】
屋内線４は、スマートメータ２に接続されており、スマートメータ２を介して配電線１０１から宅内モニタ５及び電気機器１０３へ電力を供給するための電力線である。この屋内線４は、配電線１０１からスマートメータ２を経由して供給される電力であり、スマートメータ２が電気料金の支払滞納により電力供給を停止している場合には、電気が流れなくなるものである。
【００２３】
宅内モニタ５は、引下線３及び屋内線４に接続されて電力が供給され、家庭内ＬＡＮケーブル６を介してスマートメータ２に接続されており、スマートメータ２の通信機能によりサーバコンピュータ１００から送信されてきた通知情報を表示したり、サーバコンピュータ１００へ通知情報を要求したりする通信機能付きの装置であり、例えば、液晶モニタにより構成されている。
【００２４】
図２は、図１の宅内モニタ５を示す機能ブロック図である。この宅内モニタ５は、主として、切換部５１と、電源回路５２と、通信部５３と、操作表示部５４と、処理部５５とから構成されている。
【００２５】
切換部５１は、引下線３及び屋内線４に接続され、屋内線４に電流が流れているか否かを検知する図示しない電流検知機能を有し、さらに、屋内線４の電気を検知した場合には屋内線４から電力の供給を受けて引下線３とは接続を遮断し、屋内線４の電流を検知しない場合には引下線３から電力の供給を受けて屋内線４とは接続を遮断するスイッチ機能を有している。電源回路５２は、切換部５１に接続され、配電線１０１から供給された電力から通信部５３、操作表示部５４、及び処理部５５が必要とする電気に変換するための回路であり、交流から直流への変換、電圧の安定化などを行う機能を有している。
【００２６】
通信部５３は、電源回路５２に接続され、家庭内ＬＡＮケーブル６を介してスマートメータ２と送受信可能に接続するための通信インターフェースである。操作表示部５４は、電源回路５２及び通信部５３に接続され、需要家が宅内モニタ５を操作し、サーバコンピュータ１００から送信されてきた通知情報を表示する装置であり、例えば、操作ボタンと液晶画面とにより構成されている。処理部５５は、電源回路５２、通信部５３、及び操作表示部５４に接続され、さらに電源回路５２を介して切換部５１に接続され、これらの動作を制御するための演算部であり、例えば、ＣＰＵ（Ｃｅｎｔｒａｌ  Ｐｒｏｃｅｓｓｉｎｇ  Ｕｎｉｔ）により構成されている。
【００２７】
図３は、図２の操作表示部５４の外観を示す平面図である。この操作表示部５４は、主として、操作ボタン５４１，５４２，５４３，５４４，５４５，５４６と、液晶画面５４７とから構成されている。
【００２８】
操作ボタン５４１は、例えば、当月の検針情報、及び過去の検針実績情報を液晶画面５４７に表示させるためのボタンである。操作ボタン５４２は、例えば、電力会社から需要家へ通知する節電情報やお得情報を液晶画面５４７に表示させるためのボタンである。操作ボタン５４３は、例えば、過去に支払済みの支払情報を液晶画面５４７に表示させるためのボタンである。操作ボタン５４４は、例えば、未支払いの支払情報（督促情報）、未支払いの月、及び支払期日を液晶画面５４７に表示させるためのボタンである。操作ボタン５４５は、例えば、電子マネーもしくはコンビニエンスストア決済の番号を発番して液晶画面５４７に表示させるためのボタンであり、電子マネーを読み取りするか、コンビニエンスストアで支払いを可能にするための機能である。操作ボタン５４６は、液晶画面５４７の表示内容をリセットしたり取り消したりするためのボタンである。
【００２９】
液晶画面５４７は、需要者が操作ボタン５４１〜５４６を操作したとき、それぞれに対応する電力通知などの情報を表示するための画面である。また、電力会社からの電気料金の督促や供給停止について通知する通知情報がある場合には、液晶画面５４７に需要者の注意を喚起するために、自動的にその旨のアラームを表示する。
【００３０】
次に、この通知システム１の処理等について、図４に示す図１の宅内モニタ５の供給元判定処理を示すフローチャートを用いて、以下に説明する。
【００３１】
まず、処理部５５により、切換部５１に接続されている屋内線４に電気が流れているか否かが判定される（ステップＳ１）。ステップＳ１において屋内線４に電気が流れていない場合（「ＹＥＳ」の場合）、処理部５５により切換部５１を切り換えて、引下線３から電力の供給を受けて屋内線４とは接続を遮断し（ステップＳ２）、ステップＳ３へ進む。ステップＳ１において屋内線４に電気が流れている場合（「ＮＯ」の場合）、通信部５３によりサーバコンピュータ１００へ通知情報の要求がされる（ステップＳ３）。その後、通信部５３が受信した通知情報が液晶画面５４７に表示されて、処理が終了する。
【００３２】
このように、通知システム１は、宅内モニタ５が引下線３及び屋内線４に接続されて電力が供給され、屋内線４に電気が流れているか否かを検知し、屋内線４の電流を検知した場合には屋内線４から電力の供給を受けて引下線３とは接続を遮断し、屋内線４の電流を検知しない場合には引下線３から電力の供給を受けて屋内線４とは接続を遮断するため、電力の供給が停止されて屋内線４に電気が流れていない場合であっても、引下線３から電力の供給を受けることができるので、需要家が電力会社からの通知情報を確認することが可能になる。また、需要家からの問い合わせに対する対応や督促行為を削減することができる。
【００３３】
さらに、宅内モニタ５は切換部５１を備えたため、電力供給の切り換えを行う際に一時的に電力供給が停止することを防止することができる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、この発明の実施の形態では、サーバコンピュータ１００とスマートメータ２との通信をＰＬＣを用いて行ったが、他の通信手段を用いても良い。また、スマートメータ２と宅内モニタ５との通信についても、家庭内ＬＡＮケーブル６を用いた通信に限られず、無線通信等を用いても良い。
【００３５】
また、この発明の実施の形態では、需要家宅を長期間留守にするためにブレーカが切断され、宅内モニタ５への電力供給が強制的に停止してしまうことも考えられる。このような場合において、ブレーカおよびスマートメータ２を介して切断情報をサーバコンピュータ１００に送信し、サーバコンピュータ１００からスマートメータ２を遠隔操作して、宅内モニタ５へ電力を供給する構成を追加しても良い。
【符号の説明】
【００３６】
１                            通知システム
２                            スマートメータ（電力量計）
３                            引下線
４                            屋内線
５                            宅内モニタ（表示装置）
６                            家庭内ＬＡＮケーブル
５１                          切換部
５２                          電源回路
５３                          通信部
５４                          操作表示部
５５                          処理部
１００                        サーバコンピュータ
１０１                        配電線
１０２                        需要家宅
１０３                        電気機器
【図１】
2017077059.tif 000003
【図２】
2017077059.tif 000004
【図３】
2017077059.tif 000005
【図４】
2017077059.tif 000006